(57)【要約】【課題】  回路規模の増大を抑制できるとともに処理を緩和することができるフレーム転送装置およびフレーム転送方法を提供する。【解決手段】  フレーム転送装置は、複数のレーンを用いてクライアント信号を並列転送する転送部と、複数のレーンそれぞれに設けられ、転送部からのクライアント信号にマルチレーンディストリビューション終端処理を行わずに、各レーンのビットレートに対応した収容フレームにクライアント信号を収容するフレーム生成部と、フレーム生成部において生成された複数のフレームを多重化して伝送する多重伝送部と、を備えるものである。【選択図】  図４
2010213184.tif 000002
【特許請求の範囲】
【請求項１】
複数のレーンを用いてクライアント信号を並列転送する転送部と、
前記複数のレーンそれぞれに設けられ、前記転送部からのクライアント信号にマルチレーンディストリビューション終端処理を行わずに、各レーンのビットレートに対応した収容フレームに前記クライアント信号を収容するフレーム生成部と、
前記フレーム生成部において生成された複数のフレームを多重化して伝送する多重伝送部と、を備えることを特徴とするフレーム転送装置。
【請求項２】
前記複数のレーンごとに障害の発生を検出する障害検出部と、
前記障害検出部によって障害の発生が検出された前記レーンに関する警報信号を前記クライアント信号に挿入する警報挿入部と、を備えることを特徴とする請求項１記載のフレーム転送装置。
【請求項３】
前記障害検出部は、前記レーンごとに光強度障害または誤り訂正障害を検出する検出部であることを特徴とする請求項２記載のフレーム転送装置。
【請求項４】
前記クライアント信号は、４０ＧｂＥ信号であり、
前記送信部は、前記クライアント信号を４個のレーンを用いて並列転送することを特徴とする請求項１〜３のいずれかに記載のフレーム転送装置。
【請求項５】
前記クライアント信号は、１００ＧｂＥ信号であり、
前記送信部は、前記クライアント信号を１０個のレーンを用いて並列転送することを特徴とする請求項１〜３のいずれかに記載のフレーム転送装置。
【請求項６】
複数のレーンを用いてクライアント信号を並列転送する転送工程と、
前記複数のレーンそれぞれにおいて、前記転送工程によって転送されたクライアント信号にマルチレーンディストリビューション終端処理を行わずに、各レーンのビットレートに対応した収容フレームに前記クライアント信号を収容するフレーム生成工程と、
前記フレーム生成工程において生成された複数のフレームを多重化して伝送する多重伝送工程と、を含むことを特徴とするフレーム転送方法。
【請求項７】
前記複数のレーンごとに障害の発生を検出する障害検出工程と、
前記障害検出工程において障害の発生が検出された前記レーンに関する警報信号を前記クライアント信号に挿入する警報挿入工程と、を含むことを特徴とする請求項６記載のフレーム転送方法。
【請求項８】
前記障害検出工程は、前記レーンごとに光強度障害または誤り訂正障害を検出する工程であることを特徴とする請求項６または７記載のフレーム転送方法。
【請求項９】
前記クライアント信号は、４０ＧｂＥ信号であり、
前記送信工程において、前記クライアント信号を４個のレーンを用いて並列転送することを特徴とする請求項６〜８のいずれかに記載のフレーム転送方法。
【請求項１０】
前記クライアント信号は、１００ＧｂＥ信号であり、
前記送信工程において、前記クライアント信号を１０個のレーンを用いて並列転送することを特徴とする請求項６〜８のいずれかに記載のフレーム転送方法。
【発明の詳細な説明】
【技術分野】
【０００１】
本発明は、フレーム転送装置およびフレーム転送方法に関する。
【背景技術】
【０００２】
波長分割多重（WDM: Wavelength Division Multiplexing）技術を用いる光通信システムにおいて、ＯＴＮ（Optical Transport Network）フレームがＩＴＵ−Ｔで標準化されている。ＯＴＮフレームは、ＳＤＨ／ＳＯＮＥＴ、イーサネット（登録商標）等の多様なクライアント信号を収容し、監視制御用のオーバヘッドおよび誤り訂正用の冗長信号を付加して転送フレームを形成する。例えば、特許文献１および特許文献２は、ＯＴＮにおけるＯＴＵ（Optical Transfer Unit）フレームにクライアント信号を収容して伝送する光伝送システムを開示している。
【０００３】
近年、次世代規格として、ビットレートがおよそ４０Ｇｂｐｓや１００Ｇｂｐｓ等のイーサネット（登録商標）規格が検討されている。ＯＴＮにおいても、これらの次世代イーサネット（登録商標）信号を収容転送するために、ビットレートがおよそ４０Ｇｂｐｓや１００Ｇｂｐｓ等のＯＴＮフレームおよびそれをシステム内部で転送する技術が必要となっている。
【先行技術文献】
【特許文献】
【０００４】
【特許文献１】特開２００７−９６８２２号公報
【特許文献２】特開２００８−１１３３９５号公報
【発明の概要】
【発明が解決しようとする課題】
【０００５】
しかしながら、イーサネット（登録商標）信号をＯＴＮフレームに収容しようとすると、ＭＬＤ（Multi Lane Distribution）の終端処理、トランスコーディング処理等の機能が必要となり、処理および回路規模が増大してしまう。
【０００６】
本発明は上記課題に鑑みなされたものであり、回路規模の増大を抑制できるとともに処理を緩和することができるフレーム転送装置およびフレーム転送方法を提供することを目的とする。
【課題を解決するための手段】
【０００７】
上記課題を解決するために、明細書開示のフレーム転送装置は、複数のレーンを用いてクライアント信号を並列転送する転送部と、複数のレーンそれぞれに設けられ、転送部からのクライアント信号にマルチレーンディストリビューション終端処理を行わずに、各レーンのビットレートに対応した収容フレームにクライアント信号を収容するフレーム生成部と、フレーム生成部において生成された複数のフレームを多重化して伝送する多重伝送部と、を備えるものである。
【０００８】
上記課題を解決するために、明細書開示のフレーム転送方法は、複数のレーンを用いてクライアント信号を並列転送する転送工程と、複数のレーンそれぞれにおいて、転送工程によって送信されたクライアント信号にマルチレーンディストリビューション終端処理を行わずに、各レーンのビットレートに対応した収容フレームに前記クライアント信号を収容するフレーム生成工程と、フレーム生成工程において生成された複数のフレームを多重化して伝送する多重伝送工程と、を含むものである。
【０００９】
なお、前記目的に限らず、後述する発明を実施するための形態に示す各構成およびまたは作用により導かれる効果であって、従来の技術によっては得られない効果を奏することも他の目的として位置づけることができる。
【発明の効果】
【００１０】
明細書開示のフレーム転送装置およびフレーム転送方法によれば、回路規模の増大を抑制できるとともに処理を緩和することができる。
【図面の簡単な説明】
【００１１】
【図１】実施例１に係るフレーム転送装置が適用される光伝送システムの全体構成について説明するためのシステム全体図である。
【図２】ＯＴＮフレームのフォーマットを説明するための図である。
【図３】イーサネット（登録商標）における信号転送方式を説明するための図である。
【図４】実施例１に係る通信機器および光伝送装置の詳細を説明するためのブロック図である。
【図５】ＯＰＵ２ｅフレームについて説明するための図である。
【図６】実施例１の効果について説明するための図である。
【図７】光伝送装置および通信機器の詳細を説明するためのブロック図である。
【図８】レーンごとの障害検出の詳細について説明するための図である。
【図９】送信機Ｔｘ１と受信機Ｒｘ１との間で障害が発生した場合を説明するための図である。
【図１０】送信機Ｔｘ１と受信機Ｒｘ１との間で障害が発生した場合の障害検知に係るフローチャートを説明するための図である。
【図１１】実施例２に係る通信機器および光伝送装置について説明するための図である。
【発明を実施するための形態】
【００１２】
以下、図面を参照しつつ、各実施例について説明する。
【実施例１】
【００１３】
図１は、実施例１に係るフレーム転送装置が適用される光伝送システム１０００の全体構成について説明するためのシステム全体図である。光伝送システム１０００は、ＯＴＮトランスポートを実現するための伝送システムである。図１を参照して、光伝送システム１０００は、通信機器１００、光伝送装置２００、光伝送装置３００、通信機器４００等を備える。
【００１４】
通信機器１００は、並列信号を用いた物理インタフェースを有する通信機器であって、本実施例においては４０ＧｂＥ光送受信機である。通信機器１００は、受信したクライアント信号を、より低速の複数（図１では＃１〜＃ｎ）の信号にパラレル化して光伝送装置２００に転送する。光伝送装置２００は、監視制御用オーバヘッド、誤り訂正符号等を含んだフレームを転送する装置であり、本実施例においてはＯＴＵ３トランスポンダである。光伝送装置２００から光伝送装置３００に、光信号が収容された光ネットワーク用フレームが転送される。
【００１５】
光伝送装置３００は、光伝送装置２００と同様の装置であり、本実施例においてはＯＴＵ３トランスポンダである。光伝送装置３００は、光伝送装置３００から転送されてきたフレームからクライアント信号を抽出し、通信機器４００に並列転送する（図１では＃１〜＃ｎ）。通信機器４００は、並列信号を用いた物理インタフェースを有する通信機器である。通信機器４００は、光伝送装置３００から受信したクライアント信号を多重化して、外部機器に送信する。
【００１６】
なお、光伝送システム１０００は、クライアント信号の逆方向の送信にも対応可能である。具体的には、通信機器４００は、受信したクライアント信号をパラレル化して光伝送装置３００に転送する。光伝送装置３００は、クライアント信号を収容したフレームを光伝送装置２００に転送する。光伝送装置２００は、フレームからクライアント信号を抽出し、通信機器４００に並列転送する。通信機器１００は、受信したクライアント信号を多重化して、外部機器に送信する。
【００１７】
次に、クライアント信号が収容されるＯＴＮフレームの概要について説明する。図２（ａ）は、ＯＴＮフレームのフォーマットを説明するための図である。図２（ａ）を参照して、ＯＴＮフレームは、オーバヘッド部、ＯＰＵｋ（Optical channel Payload Unit）ペイロード部およびＯＴＵｋＦＥＣ（Optical channel Transport Unit Forward Error Correction）オーバヘッド部を含む。
【００１８】
オーバヘッド部は、第１列目〜第１６列目の１６バイト×４行のフレームサイズを有し、接続および品質の管理に用いられる。ＯＰＵｋペイロード部は、第１７列目〜第３８２４列目の３８０８バイト×４行のフレームサイズを有し、１以上のサービスを提供するクライアント信号を収容する。ＯＴＵｋＦＥＣオーバヘッド部は、第３８２５列目〜第４０８０列目の２５６バイト×４行のフレームサイズを有し、伝送中に発生した誤りを訂正するために用いられる。
【００１９】
なお、接続および品質の管理に用いるオーバヘッドバイトをＯＰＵｋペイロード部に付加したものをＯＤＵｋ（Optical channel Data Unit）部と称する。また、フレーム同期、接続および品質の管理等に用いるオーバヘッドバイトおよびＯＴＵｋＦＥＣオーバヘッド部をＯＤＵｋ部に付加したものをＯＴＵｋ（Optical channel Transport Unit）部と称する。なお、図２（ｂ）は、各ＯＴＮフレームを使用する際のビットレートを説明するための図である。
【００２０】
続いて、イーサネット（登録商標）におけるデータ転送処理について説明する。図３は、イーサネット（登録商標）における信号転送方式を説明するための図である。上位層からの信号は、ＭＡＣ（Media Access Control）層において、イーサネット（登録商標）のフレームに収容される。収容された信号は、物理符号化副層（ＰＣＳ:Physical Coding Sublayer）において６４Ｂ６６Ｂ符号化され、６６Ｂ単位で、擬似的に複数のシリアル信号列で転送するために、Virtual lane(ＶＬ)と呼ばれるシリアル信号列に分配される。その後、各シリアル信号列は、光送信機数に応じて多重化され、送信される。
【００２１】
また、受信側においては、光受信機によって受信された複数のＶＬからの信号に対して、伝送路で発生したスキュー補正処理、レーン入れ替えに対する識別処理等を行い、ＭＡＣフレームを再生する。
【００２２】
４０ＧｂＥ(信号速度：４１．２５Ｇｂｐｓ)、１００ＧｂＥ（信号速度：１０３．１２５Ｇｂｐｓ）等を転送する際のＯＴＮについて、ＩＴＵ−Ｔにおいて標準化作業が行われている。例えば、４０ＧｂＥについては、ＯＰＵ／ＯＤＵ／ＯＴＵ３ビットレート(ＯＰＵ：４０．１５０Ｇｂｐｓ)への適用が考えられている。具体的には、４０ＧｂＥ信号を、６４Ｂ６６Ｂ符号化された複数の６６Ｂｉｔのデータを編集・組み合わせて構成される１０２４／１０２７Ｂ信号に変換してＯＴＮフレームに収容することが考えられている。１００ＧｂＥについても、同様のことが考えられている。
【００２３】
これらの処理を行う際には、ＭＬＤの終端処理、トランスコーディング処理等の機能が必要となり、処理および回路規模が増大してしまう。また、１００ＧｂＥの転送についても、ＭＬＤ終端機能が必要となる。
【００２４】
例えば、複数のＯＰＵフレームを接続して、擬似的にサイズの大きなフレームを生成するVirtual Concatenation技術においては、シリアル信号でのクライアントが規定されていた。この技術においては、個別のＯＰＵフレームを一旦連結させる形で、フレーム多重数倍のサイズのフレームが生成されていた。しかしながら、多レーンに分配されている信号を、一旦一つの巨大なフレームに多重し、その後、再度、個別フレームに分配し直すこととなるため、並列展開および合成の信号処理が冗長になる。
【００２５】
そこで、実施例１においては、４０ＧｂＥでの多レーン化されたクライアント信号の収容について説明する。図４は、実施例１に係る通信機器１００および光伝送装置２００の送信機器の詳細を説明するためのブロック図である。通信機器１００は、４０ＧｂＥ光送受信機であって、ＭＡＣ部１１、ＰＣＳ部１２、ＭＬＤ部１３、および光送受信機１４を備える。
【００２６】
光伝送装置２００は、トランスポンダ２０またはトランスポンダ３０を備える。トランスポンダ２０は、光送受信機２１、ＯＰＵ処理部２２、ＯＤＵ処理部２３、ＯＤＵ処理部２４、ＯＴＵ処理部２５、および光送受信機２６を備える。トランスポンダ３０は、ＯＴＵ処理部３１および光送受信機３２を備える。
【００２７】
通信機器１００に入力される４０ＧｂＥ信号は、ＭＡＣ部１１においてイーサネット（登録商標）のフレームに収容される。イーサネット（登録商標）のフレームに収容された信号は、ＰＣＳ部１２において６４Ｂ６６Ｂ符号化（４１．２５Ｇｂｐｓ）され、ＭＬＤ部１３において６６Ｂ単位で４つのシリアル信号列（４×１０．３１２５Ｇｂｐｓ）に並列化される。並列化された各シリアル信号列は、４つのヴァーチャルレーン（以下、レーンと称する。）のそれぞれを介して光送受信機１４に入力される。光送受信機１４は、入力されたシリアル信号列を多重化せずに各レーンを介してトランスポンダ２０に送信する。
【００２８】
トランスポンダ２０は、光送受信機２１において各シリアル信号列を受信する。光送受信機２１は、複数のレーンを用いてクライアント信号を並列転送する転送部として機能し、受信したシリアル信号列を、各レーンを介してＯＰＵ処理部２２に転送する。
【００２９】
ＯＰＵ処理部２２およびＯＤＵ処理部２３は、レーンそれぞれに設けられ、ＭＬＤ終端処理を行わずに各レーンのビットレートに対応した収容フレームに各信号列を収容するフレーム生成部として機能する。本実施例においては、ＯＰＵ処理部２２およびＯＤＵ処理部２３が４つずつ備わっている。具体的には、各ＯＰＵ処理部２２は、各レーンのビットレート以上のビットレートを有する収容フレームに各信号列を収容する。本実施例においては、ＯＰＵ処理部２２は、各シリアル信号列をＯＰＵ２ｅフレーム（１０．３５６Ｇｂｐｓ）に収容する。各ＯＤＵ処理部２３は、ＯＰＵ２ｅフレームにＯＤＵ  ＯＨを付加し、ＯＤＵ２ｅフレーム（１０．３９９Ｇｂｐｓ）を構成する。
【００３０】
ＯＤＵ処理部２４は、複数のフレームを多重化して伝送する多重伝送部として機能する。本実施例においては、ＯＤＵ処理部２４は、４つのＯＤＵ２ｅフレームを、ＯＤＵ３ｅ１（４１．７７４Ｇｂｐｓ）のサイズのフレームに多重化する。ＯＴＵ処理部２５は、ＯＤＵ処理部２４から入力されたフレームを、ＯＴＵ３ｅ１（４４．５７０Ｇｂｐｓ）として転送し、光送受信機２６から伝送される。あるいは、各ＯＤＵ２ｅフレームは、トランスポンダ３０のＯＴＵ処理部３１において４×ＯＴＵ２ｅとされ、空間多重（並列光ファイバ）もしくは波長多重技術で光送受信機３２から伝送される。
【００３１】
なお、光伝送装置３００は、転送されてきたＯＴＵ３ｅ１フレームもしくは４×ＯＴＵ２ｅフレームのオーバヘッドをＯＴＵ、ＯＤＵ、ＯＰＵの順に終端し、４×１０．３１２５Ｇｂｐｓ信号をイーサネット（登録商標）受信機に送出する。通信機器４００は、送信されてきたレーン間でのスキュー調整をＭＬＤ終端部で行い、ＭＡＣフレームの再生を行う。
【００３２】
図５は、ＯＰＵ２ｅフレームについて説明するための図である。図５で説明されるように、ＯＰＵ２ｅフレームは、１０．３１２５Ｇｂｐｓ±１００ｐｐｍの周波数揺らぎを持つクライアント信号の収容および転送のための規定されたものである。ＯＰＵ２ｅフレームはＣＢＲ信号をトランスペアレントに転送可能であるため、不要な終端処理を回避することができる。
【００３３】
図６（ａ）および図６（ｂ）は、本実施例の効果について説明するための図である。図６（ａ）は、光伝送装置２００から光伝送装置３００にフレーム、Virtual Concatenation 技術によって並列転送する場合の図である。図６（ｂ）は、光伝送装置２００から光伝送装置３００にフレームを、本実施例を用いて並列転送する場合の図である。
【００３４】
図６（ａ）を参照して、Virtual Concatenation 技術によって並列転送する場合には、ＯＰＵｋのＮ倍のペイロードを生成しそれを１バイトごとに分割することによって、ＯＰＵｋ−Ｎｖを生成することができる。これらを時間的に正しく並べて１バイトごとに組み立てることによって、クライアント信号を抽出することができる。この場合、ペイロード部が巨大化するため、処理および回路規模が増大してしまう。
【００３５】
一方、図６（ｂ）を参照して、本実施例のように多レーン転送されてきたクライアント信号をＭＬＤ終端せずに並列転送する場合には、それぞれ独立したＯＰＵｋペイロードを生成し、多重化せずにＯＰＵｋ−Ｎｖを生成することができる。これらを時間（ＴＤＭ）、空間（並列）または波長のいずれかの順に並べることによって、そのままＯＰＵｋペイロードとして処理することができる。この場合、ペイロード部の巨大化が抑制される。その結果、処理および回路規模が抑制される。
【００３６】
上述したように、本実施例においては、４０ＧｂＥを１０Ｇｂｐｓ程度の比較的低速な信号へ効率的に収容することができる。それにより、電気回路に対する要求（ＭＬＤ終端処理、トランスコーディング処理等）が不要になる。また、イーサネット（登録商標）等の既に多レーン化向けに開発された光モジュールを使用することができるため、共通化による光モジュールの低コスト化が可能となる。さらに、トランスポンダ３０を用いる場合、１００％スループットが得られる。
【００３７】
続いて、受信側の光伝送装置における障害検出について説明する。図７は、光伝送装置３００および通信機器４００の受信機器の詳細を説明するためのブロック図である。通信機器４００は、４０ＧｂＥ光送受信機であって、ＭＡＣ部４１、ＰＣＳ部４２、ＭＬＤ部４３、および光送受信機４４を備える。
【００３８】
光伝送装置３００は、トランスポンダ５０、トランスポンダ６０、および警報転送部７０を備える。トランスポンダ５０は、光送受信機５１、ＯＰＵ処理部５２、ＯＤＵ処理部５３、ＯＤＵ処理部５４、ＯＴＵ処理部５５、および光送受信機５６を備える。トランスポンダ６０は、ＯＴＵ処理部６１および光送受信機６２を備える。
【００３９】
ＯＴＵ処理部５５は、光送受信機５６から受信したＯＴＵ３ｅ１フレームからＯＤＵ３ｅ１フレームを抽出してＯＤＵ処理部５４に転送する。ＯＤＵ処理部５４は、受信したＯＤＵ３ｅ１フレームから４つのＯＤＵ２ｅフレームを抽出し、４つのレーンを介して各ＯＤＵ処理部５３に転送する。各ＯＤＵ処理部５３は、受信したＯＤＵ２ｅフレームからＯＰＵ２ｅフレームを抽出し、各ＯＰＵ処理部５２に転送する。各ＯＰＵ処理部５２は、受信したＯＰＵ２フレームからシリアル信号列を抽出し、光送受信機５１に転送する。
【００４０】
ＯＴＵ処理部６１は、ＯＴＵ  ＯＨ処理部６１１および誤り訂正障害検出部６１２を備える。光送受信機６２は、光受信部６２１および光強度障害検出部６２２を備える。警報転送部７０は、警報受信部７１および警報信号送出部７２を備える。ＯＰＵ処理部５２は、ＯＰＵ  ＯＨ処理部５２１および警報信号挿入部５２２を備える。
【００４１】
誤り訂正障害検出部６１２は、誤り訂正に障害を検出した場合に、警報転送部７０に誤り訂正障害に関する警報信号を転送する。光強度障害検出部６２２は、光強度に障害を検出した場合に、警報転送部７０に光強度障害に関する警報信号を転送する。
【００４２】
警報受信部７１が光強度障害に関する警報信号または誤り訂正障害に関する警報信号を受信すると、警報信号送出部７２は、警報信号挿入部５２２にこれらの警報信号を転送する。警報信号挿入部５２２は、警報信号を受信した場合に、ＯＰＵ  ＯＨ処理部５２１に転送する。ＯＰＵ  ＯＨ処理部５２１は、警報信号を光送受信機５１に転送する。以上の構成によれば、レーンごとに障害を検出することができる。以下、その詳細について説明する。
【００４３】
図８、図９（ａ）および図９（ｂ）は、レーンごとの障害検出の詳細について説明するための図である。図８を参照して、光送受信機４４は、受信機側において受信機Ｒｘ１〜Ｒｘ４と、ＯＴＵ処理部、ＯＤＵ処理部およびＯＰＵ処理部の機能を有する装置ＯＴＮと、送信機Ｔｘ１〜Ｔｘ４とを備え、送信機側において受信機Ｒｘ１〜Ｒｘ４と、ＯＴＵ処理部、ＯＤＵ処理部およびＯＰＵ処理部の機能を有する装置ＯＴＮと、送信機Ｔｘ１〜Ｔｘ４とを備える。上記のＲｘ１〜Ｒｘ４およびＴｘ１〜Ｔｘ４の数字は、送信側および受信側それぞれのレーン番号のことである。
【００４４】
受信機側のＭＬＤ部４３は、警報状態監視部４３３およびＭＬＤ終端部４３４を備えるとともに、レーンごとにＭＬＤフレーム検出部４３１および警報検出部４３２を備える。ＭＬＤフレーム検出部４３１は、各レーンのレーン番号を識別する。警報検出部４３２は、各レーンを介して転送されてくる信号に警報信号が挿入されているか否かを検出する。この構成により、レーンごとに警報信号を検出することができる。
【００４５】
ＭＡＣ部４１は、受信側ＲＳ（Reconciliation Sublayer）部４１１、送信側ＲＳ部４１２、および警報挿入部４１３を備える。図９（ａ）を参照して、光送受信機５１の送信機Ｔｘ１と光送受信機４４の受信機Ｒｘ１との間で障害が発生した場合、レーン１に対してのみＬＦ(Ｌｏｃａｌ  Ｆａｕｌｔ)信号が検出される。レーン１以外のレーンにおいて正常にデータが転送されている場合には、ＭＬＤ部４３において、レーン１のみからのＬＦ信号が検出される。したがって、障害が生じているレーンを特定することが可能である。
【００４６】
その後、送信側ＲＳ部４１２は、ＲＦ（Ｒｅｍｏｔｅ  Ｆａｕｌｔ）信号を上流側に送信する際に、規定された警報転送に用いられるＯｒｄｅｒ  Ｓｅｔにおける、Ｒｅｓｅｒｖｅｄ信号を用いて障害レーン情報を転送信号に含める。それにより、複数の送受信機における、障害点の判別を行うことが可能となる。図９（ｂ）は、Ｒｅｓｅｒｖｅｄ信号の一例を説明するための図である。
【００４７】
図１０は、光送受信機５１の送信機Ｔｘ１と光送受信機４４の受信機Ｒｘ１との間で障害が発生した場合の障害検知に係るフローチャートを説明するための図である。図１０を参照して、送信機Ｔｘ１と受信機Ｒｘ１との間で障害が発生したとする（ステップＳ１）。この場合、光強度障害検出部６２２および誤り訂正障害検出部６１２が障害を検出し、警報転送部７０にその旨を通知する（ステップＳ２）。
【００４８】
次に、警報信号挿入部５２２がクライアント信号に対して警報信号を挿入する（ステップＳ３）。次いで、各レーンの警報検出部４３２が警報信号を検出する（ステップＳ４）。次に、警報状態監視部４３３がレーンごとに障害状況を監視し、警報挿入部４１３に障害情報を転送する（ステップＳ５）。次に、警報挿入部４１３は、受信側ＲＳ部４１１および送信側ＲＳ部４１２に警報挿入信号を送出する（ステップＳ６）。次いで、受信側ＲＳ４１１および送信側ＲＳ部４１２は、障害が生じたレーンに関わる警報信号を送出する（ステップＳ７）。以上の手順を経て、フローチャートが終了する。図１０のフローチャートに従えば、レーンごとに障害を検出することができる。
【実施例２】
【００４９】
実施例２においては、１００ＧｂＥでの多レーン化されたクライアント信号の収容について説明する。図１１は、実施例２に係る通信機器１００ａおよび光伝送装置２００ａの送信機器について説明するための図である。通信機器１００ａは、１００ＧｂＥ光送受信機であって、ＭＡＣ部１１ａ、ＰＣＳ部１２ａ、ＭＬＤ部１３ａ、および光送受信信機１４ａを備える。
【００５０】
光伝送装置２００ａは、トランスポンダ２０ａまたはトランスポンダ３０ａを備える。トランスポンダ２０ａは、光送受信機２１ａ、ＯＰＵ処理部２２ａ、ＯＤＵ処理部２３ａ、ＯＤＵ処理部２４ａ、ＯＴＵ処理部２５ａ、および光送受信機２６ａを備える。トランスポンダ３０ａは、ＯＴＵ処理部３１ａおよび光送受信機３２ａを備える。
【００５１】
通信機器１００ａに入力される１００Ｇｂｐｓ信号は、ＭＡＣ部１１ａにおいてイーサネット（登録商標）のフレームに収容される。イーサネット（登録商標）のフレームに収容された信号は、ＰＣＳ部１２ａにおいて６４Ｂ６６Ｂ符号化（１０３．１２５Ｇｂｐｓ）され、ＭＬＤ部１３ａにおいて６６Ｂ単位で１０個のシリアル信号列（１０×１０．３１２５Ｇｂｐｓ）に並列化されて光送受信機１４ａに入力される。光送受信機１４ａは、入力されたシリアル信号列をトランスポンダ２０ａに送信する。
【００５２】
トランスポンダ２０は、光送受信機２１ａにおいて各シリアル信号列を受信する。本実施例においては、ＯＰＵ処理部２２ａおよびＯＤＵ処理部２３ａが１０個ずつ備わっている。各ＯＰＵ処理部２２ａは、各シリアル信号列をＯＰＵ２ｅフレーム（１０．３５６Ｇｂｐｓ）に収容する。各ＯＤＵ処理部２３ａは、ＯＰＵ２ｅフレームにＯＤＵ  ＯＨを付加し、ＯＤＵ２ｅフレーム（１０．３９９Ｇｂｐｓ）を構成する。ＯＤＵ処理部２４ａは、これらの１０個のＯＤＵ２ｅフレームをＯＤＵ４（１０７．７９４Ｇｂｐｓ）のサイズのフレームに多重化する。
【００５３】
ＯＴＵ処理部２５ａは、ＯＤＵ処理部２４ａから入力されたフレームを、ＯＴＵ４（１１１．８０９Ｇｂｐｓ）として転送し、光送受信機２６ａから伝送される。あるいは、各ＯＤＵ２ｅフレームは、トランスポンダ３０ａのＯＴＵ処理部３１ａにおいて１０×ＯＴＵ２ｅとされ、空間多重（並列光ファイバ）もしくは波長多重技術で光送受信機３２ａから伝送される。
【００５４】
なお、受信側の光伝送装置は、ＯＴＵ４もしくは１０×ＯＴＵ２ｅで転送されてきた信号をＯＴＵ、ＯＤＵ、ＯＰＵの順にＯＨを終端し、１０×１０．３１２５Ｇｂｐｓ信号をイーサネット（登録商標）受信機に送出する。通信機器は、送信されてきたレーン間でのスキューをＭＬＤ終端部で行い、ＭＡＣフレームの再生を行う。
【００５５】
本実施例においては、１００ＧｂＥを１０Ｇｂｐｓ程度の比較的低速な信号へ効率的に収容することができる。それにより、電気回路におけるＭＬＤ終端処理が不要になる。また、イーサネット（登録商標）等の既に多レーン化向けに開発された光モジュールを使用することができるため、共通化による光モジュールの低コスト化が可能となる。さらに、トランスポンダ３０ａを用いる場合、１００％スループットが得られる。
【００５６】
なお、上記各実施例は、４０ＧｂＥおよび１００ＧｂＥ以外のクライアント信号にも適用することができる。例えば、４００Ｇｂｐｓの転送速度を有するクライアント信号を１０Ｇｂｐｓ×４０ＶＬに収容することによって、処理および回路規模を抑制することができる。
【００５７】
以上、本発明の実施例について詳述したが、本発明は係る特定の実施例に限定されるものではなく、特許請求の範囲に記載された本発明の要旨の範囲内において、種々の変形・変更が可能である。
【符号の説明】
【００５８】
１１  ＭＡＣ部
１２  ＰＣＳ部
１３  ＭＬＤ部
１４  光送受信機
２０，３０  トランスポンダ
２１  光送受信機
２２  ＯＰＵ処理部
２３，２４  ＯＤＵ処理部
２５，３１  ＯＴＵ処理部
３２  光送受信機
７０  警報転送部
７１  警報受信部
７２  警報信号送出部
１００，４００  通信機器
２００，３００  光伝送装置
４１１  受信側ＲＳ部
４１２  送信側ＲＳ部
４１３  警報挿入部
４３２  警報検出部
４３３  警報状態監視部
５２２  警報信号挿入部
６１２  誤り訂正障害検出部
６２２  光強度障害検出部
１０００  光伝送システム
【図１】
2010213184.tif 000003
【図２】
2010213184.tif 000004
【図３】
2010213184.tif 000005
【図４】
2010213184.tif 000006
【図５】
2010213184.tif 000007
【図６】
2010213184.tif 000008
【図７】
2010213184.tif 000009
【図８】
2010213184.tif 000010
【図９】
2010213184.tif 000011
【図１０】
2010213184.tif 000012
【図１１】
2010213184.tif 000013